(57)【要約】【課題】低コストで複数の医療用ポンプの状態を監視できる監視システム、情報端末および監視プログラムを提供する。【解決手段】監視システム１０は、複数の医療用ポンプ１００と、複数の情報端末２００と、を有する。医療用ポンプは、医療用ポンプの状態を検出するポンプ検出部と、医療用ポンプの識別情報を記憶するポンプ記憶部と、ポンプ記憶部に記憶された医療用ポンプの識別情報およびポンプ検出部が検出した医療用ポンプの状態を無線通信を介して送信するポンプ通信部と、を有する。情報端末は、医療用ポンプと無線通信を介して通信する端末通信部と、端末通信部を介して医療用ポンプから受信した医療用ポンプの識別情報および医療用ポンプの状態を表示する端末表示部と、を有する。【選択図】図１
2020086964.tif 000002
【特許請求の範囲】
【請求項１】
患者に薬液を送液する複数の医療用ポンプと、
医療従事者が携帯可能な複数の情報端末と、
を有し、
前記医療用ポンプは、
前記医療用ポンプの状態を検出するポンプ検出部と、
前記医療用ポンプの識別情報を記憶するポンプ記憶部と、
前記ポンプ記憶部に記憶された前記医療用ポンプの識別情報および前記ポンプ検出部が検出した前記医療用ポンプの状態を無線通信を介して送信するポンプ通信部と、を有し、
前記情報端末は、
前記医療用ポンプと無線通信を介して通信する端末通信部と、
前記端末通信部を介して前記医療用ポンプから受信した前記医療用ポンプの識別情報および前記医療用ポンプの状態を表示する端末表示部と、を有する、監視システム。
【請求項２】
前記医療用ポンプは、前記ポンプ検出部の検出データに基づいて、前記医療用ポンプに対して医療従事者による対応が必要か否かを判断するポンプ判断部をさらに有する、請求項１に記載の監視システム。
【請求項３】
前記医療用ポンプの前記ポンプ通信部は、前記ポンプ判断部が前記医療用ポンプに対して医療従事者による対応が必要であると判断した場合に、警告信号を前記情報端末に送信し、
前記情報端末は、前記医療用ポンプから受信した前記警告信号を報知する端末報知部をさらに有する、請求項２に記載の監視システム。
【請求項４】
前記医療用ポンプは、前記ポンプ判断部が前記医療用ポンプに対して医療従事者による対応が必要であると判断した場合に、複数の前記情報端末から前記医療用ポンプを担当する医療従事者が携帯する前記情報端末を特定するポンプ特定部をさらに有する、請求項２または請求項３に記載の監視システム。
【請求項５】
前記情報端末は、医療従事者の腕部に装着可能なブレスレット型である、請求項１〜４のいずれか１項に記載の監視システム。
【請求項６】
患者に薬液を送液する複数の医療用ポンプと無線通信を介して接続された情報端末であって、
前記医療用ポンプと無線通信を介して通信する端末通信部と、
前記端末通信部を介して前記医療用ポンプから受信した前記医療用ポンプの識別情報および前記医療用ポンプの状態を表示する端末表示部と、を有する、情報端末。
【請求項７】
患者に薬液を送液する複数の医療用ポンプと無線通信を介して接続された情報端末によって実行される監視プログラムであって、
前記医療用ポンプから前記医療用ポンプの識別情報および前記医療用ポンプの状態を受信するステップと、
前記医療用ポンプの識別情報および前記医療用ポンプの状態を表示するステップと、
を前記情報端末に実行させる、監視プログラム。
【発明の詳細な説明】
【技術分野】
【０００１】
本発明は、監視システム、情報端末および監視プログラムに関する。
【背景技術】
【０００２】
病院等の医療施設では、薬剤を患者の体内に投与するために、輸液ポンプやシリンジポンプ等の医療用ポンプが用いられている。医療従事者は、医療用ポンプが送液する薬剤の流量が所定の範囲を超えたり、薬剤が不足したりしないように医療用ポンプが送液する薬剤の流量、送液時間、投与済量等の医療用ポンプの状態を監視していた。しかしながら、医療従事者が各医療用ポンプの傍に常に待機して、医療用ポンプの状態を確認することは困難であるため、複数の医療用ポンプの状態を監視する監視システムが検討されている。
【０００３】
例えば、下記特許文献１には、複数の医療機器の状態を示す情報を監視サーバー上で一元化し、一元化されたデータを医療施設のナースステーションやＣＥ室などの端末に送信することによって中央管理する監視システムが開示されている。
【先行技術文献】
【特許文献】
【０００４】
【特許文献１】特開２０１８−１２４９１３号公報
【発明の概要】
【発明が解決しようとする課題】
【０００５】
しかしながら、医療用ポンプの状態を中央管理できる監視システムを導入するためには高額な費用が必要となる。さらに、中央管理に専任のエンジニアが必要となるケースも多く、人件費も高くなってしまう。
【０００６】
本発明は、上述した課題を解決するためになされたものであり、低コストで複数の医療用ポンプの状態を監視できる監視システム、情報端末および監視プログラムを提供することを目的とする。
【課題を解決するための手段】
【０００７】
上記目的を達成する本発明に係る監視システムは、患者に薬液を送液する複数の医療用ポンプと、医療従事者が携帯可能な複数の情報端末と、を有する。前記医療用ポンプは、前記医療用ポンプの状態を検出するポンプ検出部と、前記医療用ポンプの識別情報を記憶するポンプ記憶部と、前記ポンプ記憶部に記憶された前記医療用ポンプの識別情報および前記ポンプ検出部が検出した前記医療用ポンプの状態を無線通信を介して送信するポンプ通信部と、を有する。前記情報端末は、前記医療用ポンプと無線通信を介して通信する端末通信部と、前記端末通信部を介して前記医療用ポンプから受信した前記医療用ポンプの識別情報および前記医療用ポンプの状態を表示する端末表示部と、を有する。
【０００８】
上記目的を達成する本発明に係る情報端末は、患者に薬液を送液する複数の医療用ポンプと無線通信を介して接続された情報端末である。前記医療用ポンプと無線通信を介して通信する端末通信部と、前記端末通信部を介して医療用ポンプから受信した前記医療用ポンプの識別情報および前記医療用ポンプの状態を表示する端末表示部と、を有する。
【０００９】
上記目的を達成する本発明に係る監視プログラムは、患者に薬液を送液する複数の医療用ポンプと無線通信を介して接続された情報端末によって実行される監視プログラムである。該監視プログラムは、前記医療用ポンプから前記医療用ポンプの識別情報および前記医療用ポンプの状態を受信するステップと、前記医療用ポンプの識別情報および前記医療用ポンプの状態を表示するステップと、を前記情報端末に実行させる。
【発明の効果】
【００１０】
本発明によれば、サーバーや人手を介さずに、医療用ポンプと情報端末との間で複数の医療用ポンプに関する情報をやり取りすることができる。その結果、医療従事者は、低コストで複数の医療用ポンプの状態を監視できる。
【図面の簡単な説明】
【００１１】
【図１】実施形態に係る監視システムの概略構成を示す図である。
【図２】実施形態に係る医療用ポンプのブロック図である。
【図３】実施形態に係る情報端末のブロック図である。
【図４】実施形態に係る情報端末の概略図である。
【図５】監視システムの処理の手順を示すシーケンスチャートである。
【図６】図５のステップＳ１０６の処理において、情報端末の端末表示部に表示される表示画面の一例を示す図である。
【図７】図５のステップＳ１０６の処理において、情報端末の端末表示部に表示される表示画面の一例を示す図である。
【図８】図５のステップＳ１０６の処理において、情報端末の端末表示部に表示される表示画面の一例を示す図である。
【図９】図５のステップＳ１０７の処理において、情報端末の端末表示部に表示される表示画面の一例を示す図である。
【図１０】図５のステップＳ１１０の処理において、情報端末の端末表示部に表示される表示画面の一例を示す図である。
【図１１】図５のステップＳ１１１の処理において、情報端末の端末表示部に表示される表示画面の一例を示す図である。
【図１２Ａ】医療従事者が医療用ポンプの状態を確認する際に、情報端末の端末表示部に表示される表示画面の一例を示す図である。
【図１２Ｂ】医療従事者が医療用ポンプの状態を確認する際に、情報端末の端末表示部に表示される表示画面の一例を示す図である。
【図１３】変形例１に係る監視システムの処理の手順を示すシーケンスチャートである。
【図１４】変形例２に係る監視システムの処理の手順を示すシーケンスチャートである。
【発明を実施するための形態】
【００１２】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１３】
図１は、実施形態に係る監視システム１０の概略構成を示す図である。監視システム１０は、患者に薬液を送液する複数の医療用ポンプ１００および医療従事者Ｈが携帯可能な複数の情報端末２００によって構成される。監視システム１０は、医療施設内において医療従事者が複数の医療用ポンプ１００を監視するためのシステムである。
【００１４】
なお、本明細書において、「医療施設」とは、定常的に医療行為が行われる場所であれば、病院や診療所、介護施設等に限らず、在宅診療が行われる一般家庭等も含まれるものとする。また、「医療従事者」とは、例えば、看護師、医師、臨床工学技士、医療施設の経営者、リスク管理者等が含まれるものとする。
【００１５】
［医療用ポンプ１００］
医療用ポンプ１００は、例えば、シリンジポンプや輸液ポンプ等の患者に薬剤を送液するためのポンプである。図１には、医療用ポンプ１００としてシリンジポンプを図示しているが、輸液ポンプとしてもよいし、シリンジポンプおよび輸液ポンプを組み合わせて使用してもよい。
【００１６】
図２は、医療用ポンプ１００のブロック図である。医療用ポンプ１００は、ポンプ駆動部１１０、ポンプ検出部１２０、ポンプＣＰＵ１３０、ポンプ特定部１４０、ポンプ通信部１５０、ポンプ記憶部１６０、ポンプ操作受付部１７０、ポンプ表示部１８０およびポンプ報知部１９０を備える。医療用ポンプ１００の各構成は、信号をやり取りするためのバスを介して、相互に通信可能に接続されている。
【００１７】
（ポンプ駆動部１１０）
ポンプ駆動部１１０は、医療用ポンプ１００が輸液ポンプの場合は、例えば、複数のフィンガーを駆動し、複数のフィンガーが順次に輸液チューブを押すことによって輸液チューブ内の薬剤を送出する。なお、輸液チューブは、薬剤が封入された輸液バッグに接続されている。また、医療用ポンプ１００がシリンジポンプの場合は、ポンプ駆動部１１０は、薬剤が封入されたシリンジを駆動し、シリンジの押し子を押すことによって薬剤を送出する。
【００１８】
（ポンプ検出部１２０）
ポンプ検出部１２０は、医療用ポンプ１００の状態を検出する各種センサ等から構成される。ここで、「医療用ポンプ１００の状態」には、例えば、ポンプ駆動部１１０の送液状態（例えば、送液時間、送液中または停止中の区別）、送液される薬剤名、流量、投与予定量、投与済量（積算量）、残り薬剤量等が含まれる。
【００１９】
（ポンプＣＰＵ１３０）
ポンプＣＰＵ１３０は、ポンプ記憶部１６０に記憶されている各種プログラムにしたがって、上記各構成の制御や各種の演算処理を行うＣＰＵから構成される。
【００２０】
ポンプＣＰＵ１３０は、ポンプ記憶部１６０に記憶されている監視プログラムを実行することによって、ポンプ検出部１２０の検出データに基づいて、医療用ポンプ１００に対して医療従事者Ｈによる対応が必要か否かを判断する「ポンプ判断部」として機能する。以下、ポンプＣＰＵ１３０をポンプ判断部１３０とも称する。
【００２１】
ここで、医療用ポンプ１００に対して医療従事者Ｈによる対応が必要な場合とは、例えば、患者への薬剤の送液が完了した場合や、医療用ポンプ１００の状態に異常が生じた場合等が挙げられる。また、医療用ポンプ１００の状態に異常が生じた場合とは、医療用ポンプ１００に発生した故障や障害等の不具合に加えて、医療用ポンプ１００が患者の生体情報についての異常を検知した場合も含むものとする。
【００２２】
（ポンプ特定部１４０）
ポンプ特定部１４０は、ポンプ判断部１３０が特定の医療用ポンプ１００に対して医療従事者Ｈによる対応が必要であると判断した場合に、複数の情報端末２００から当該特定の医療用ポンプ１００を担当する医療従事者Ｈが携帯する情報端末２００を特定する。
【００２３】
（ポンプ通信部１５０）
ポンプ通信部１５０は、無線通信を介して、情報端末２００と通信するためのインターフェースを備える。無線通信は、例えば、Ｗｉｆｉ（登録商標）、Ｂｌｕｅｔｏｏｔｈ（登録商標）等の通信機能による無線通信方式やその他の非接触式の無線通信を採用することができる。ポンプ通信部１５０は、例えば、無線ＬＡＮによって構成される医療施設内のネットワークに接続して、医療施設内の他の医療機器や端末等と通信可能に構成されてもよい。ポンプ通信部１５０は、ポンプ判断部１３０が医療用ポンプ１００に対して医療従事者Ｈによる対応が必要であると判断した場合に、警告信号および医療用ポンプ１００に関する情報を情報端末２００へ送信する。ここで、「医療用ポンプ１００に関する情報」とは、ポンプ記憶部１６０に記憶された医療用ポンプ１００の識別情報や患者の情報、ポンプ検出部１２０が検出した医療用ポンプ１００の状態、医療用ポンプ１００への対応状況等を含む。端末通信部２３０を介して受信された情報は、端末記憶部２２０に記憶される。
【００２４】
（ポンプ記憶部１６０）
ポンプ記憶部１６０は、予め各種プログラムや各種データを記憶するＲＯＭ（Ｒｅａｄ  Ｏｎｌｙ    Ｍｅｍｏｒｙ）、作業領域として一時的にプログラムやデータを記憶するＲＡＭ（Ｒａｎｄｏｍ  Ａｃｃｅｓｓ    Ｍｅｍｏｒｙ）、各種プログラムや各種データを記憶するハードディスク等を備える。ポンプ記憶部１６０は、各種データとして医療用ポンプ１００の識別情報、医療用ポンプ１００から投与される各種の薬剤に関する薬剤情報、患者の情報等を記憶している。薬剤情報としては、例えば、当該薬剤を投与する際の流量、投与量、投与が中断された場合の危険度等である。
【００２５】
（ポンプ操作受付部１７０）
ポンプ操作受付部１７０は、例えば、操作ボタン、タッチセンサー、マウス等のポインティングデバイス、キーボード等を備え、医療従事者Ｈの各種操作を受け付ける。ポンプ操作受付部１７０は、電源のＯＮ／ＯＦＦを切り替える操作を受け付ける機能、医療用ポンプ１００の動作を開始させるための操作を受け付ける機能、ポンプ表示部１８０の表示を切り替える操作を受け付ける機能、各種の設定を変更するための操作を受け付ける機能等を含む。医療従事者Ｈは、ポンプ操作受付部１７０を介して、患者の情報、医療用ポンプ１００を担当する医療従事者Ｈが携帯する情報端末２００の情報、ポンプ駆動部１１０の動作の設定内容、ポンプ表示部１８０の表示内容、ポンプ表示部１８０に表示された選択肢情報の選択等の医療用ポンプ１００や患者に関する種々の情報を入力することができる。
【００２６】
（ポンプ表示部１８０）
ポンプ表示部１８０は、ＬＣＤ（液晶ディスプレイ）や有機ＥＬディスプレイ等の表示パネルを備え、医療用ポンプ１００に関する情報を表示する。ポンプ表示部１８０は、例えば、患者の情報、医療用ポンプ１００の状態、各種の選択肢情報、ポンプ駆動部１１０の動作設定に関する情報等を表示する。
【００２７】
なお、ポンプ操作受付部１７０およびポンプ表示部１８０は、ポンプ表示部１８０としての表示面に、ポンプ操作受付部１７０としてのタッチセンサーを重畳することによって、タッチパネルを構成してもよい。
【００２８】
（ポンプ報知部１９０）
ポンプ報知部１９０は、ポンプ判断部１３０が医療用ポンプ１００に対して対応が必要であると判断した場合に、例えば、音、光、振動等を警告信号として発生させる。ポンプ報知部１９０は、例えば、スピーカー、発光ダイオード、バイブレーター等により構成される。これにより、医療用ポンプ１００の近くに居る医療従事者Ｈや患者の付き添い人等は、ポンプ報知部１９０から音、光、振動等を警告信号として受け取ることによって、医療用ポンプ１００の確認やナースコールを押す動作を速やかに行うことができる。
【００２９】
ポンプ報知部１９０は、医療用ポンプ１００の近くに居る人に警告信号を報知することができるが、医療従事者Ｈや患者の付き添い人等が近くにいない場合は迅速に報知することができない。これにより、医療用ポンプ１００から警告信号が発生したことに気づかずに放置され、医療用ポンプ１００の電源が切れてしまう場合もある。また、複数の医療用ポンプ１００を並べて使用する場合には、どの医療用ポンプ１００から警告信号が発生しているか認識し難いという問題もある。本実施形態に係る監視システム１０によれば、医療用ポンプ１００を情報端末２００と連携させることによって、医療従事者Ｈが担当する医療用ポンプ１００に対応が必要な場合に確実かつ効率的に対応できるようになり、上記問題を解決することができる。なお、情報端末２００の詳細は後述する。
【００３０】
［情報端末２００］
図１に示すように、情報端末２００は、医療従事者Ｈが装着可能なウェアラブル端末である。本実施形態の情報端末２００は、医療従事者Ｈの腕部に装着可能なブレスレット型である。情報端末２００をブレスレット型にすることによって、医療従事者Ｈが情報端末２００を装着しても作業の邪魔になることがない。また、医療従事者Ｈの衣服のポケット等は、既に他の検査機器や通信機器等で占有されており、余分なスペースがないことが多い。そこで、情報端末２００を装着可能なウェアラブル端末とすることにより、医療従事者Ｈが情報端末２００を容易に所持できるようになる。
【００３１】
なお、情報端末２００は、ウェアラブル端末に限定されず、スマートフォンやタブレット端末等の医療従事者が携帯可能な携帯端末でもよい。この場合、医療従事者が元々保有しているスマートフォン等の汎用端末を活用して情報端末２００を実現することもできる。これにより、医療従事者が情報端末２００として新たな端末を携帯する必要がないため、情報端末２００を携帯する医療従事者の負担を軽減することができる。
【００３２】
図３は、情報端末２００のブロック図である。図３に示すように、情報端末２００は、端末ＣＰＵ２１０、端末記憶部２２０、端末通信部２３０、端末表示部２４０、端末操作受付部２５０および端末報知部２６０を有する。情報端末２００の各構成は、信号をやり取りするためのバスを介して、相互に通信可能に接続されている。
【００３３】
（端末ＣＰＵ２１０）
端末ＣＰＵ２１０は、端末記憶部２２０に記憶されている各種プログラムにしたがって、情報端末２００の各構成の制御や各種の演算処理を行うＣＰＵから構成される。
【００３４】
（端末記憶部２２０）
端末記憶部２２０は、予め各種プログラムや各種データを記憶するＲＯＭ、作業領域として一時的にプログラムやデータを記憶するＲＡＭ、各種プログラムや各種データを記憶するハードディスク等を備える。端末記憶部２２０には、該端末記憶部２２０が搭載された情報端末２００を装着した医療従事者が担当する医療用ポンプ１００の情報等が記憶されている。
【００３５】
（端末通信部２３０）
端末通信部２３０は、無線通信を介して、医療用ポンプ１００のポンプ通信部１５０と通信するためのインターフェースを備える。端末通信部２３０は、ポンプ通信部１５０から医療用ポンプ１００に関する情報や警告信号等を受信する。
【００３６】
（端末表示部２４０）
図４は、情報端末２００の概略図である。図４に示すように、端末表示部２４０は、ＬＣＤ（液晶ディスプレイ）や有機ＥＬディスプレイ等の表示パネルを備え、端末通信部２３０が受信した医療用ポンプ１００に関する情報等を表示する。
【００３７】
（端末操作受付部２５０）
端末操作受付部２５０は、操作ボタンやタッチセンサー等を備え、医療従事者Ｈの各種操作を受け付ける。医療従事者Ｈは、端末操作受付部２５０を介して、自身の担当する医療用ポンプ１００の情報や患者に関する種々の情報の入力を行ことができる。端末操作受付部２５０を介して入力された情報は、端末記憶部２２０に記憶される。なお、端末表示部２４０および端末操作受付部２５０は、端末表示部２４０としての表示面に、端末操作受付部２５０としてのタッチセンサーを重畳することによって、タッチパネルを構成してもよい。
【００３８】
（端末報知部２６０）
端末報知部２６０は、医療用ポンプ１００のポンプ判断部１３０が医療従事者Ｈの対応が必要であると判断した場合に、医療用ポンプ１００から端末通信部２３０が受信した警告信号を報知する。端末報知部２６０は、例えば、音、光、振動等を報知信号として発生させることによって報知する。端末報知部２６０は、例えば、スピーカー、発光ダイオード、バイブレーター等により構成される。これにより、ポンプ判断部１３０が医療用ポンプ１００の状態が異常であると判断した場合に、医療従事者は、端末報知部２６０から音、光、振動等を報知信号として受け取ることによって、端末表示部２４０の確認を速やかに行うようになり、端末表示部２４０に表示された情報の確認漏れを防ぐことができる。
【００３９】
医療従事者は、情報端末２００にアプリケーションをインストールすることができる。アプリケーションは、医療用ポンプ１００の各構成や情報端末２００の各構成等に対応する監視プログラムである。情報端末２００の端末ＣＰＵ２１０は、アプリケーションを実行し、情報端末２００の各構成を制御する。このように、医療従事者は、必要な機能をアプリケーションとして購入して情報端末２００にインストールすることによって、該機能を使用可能にすることができる。これにより、情報端末２００は、将来の新たな医療従事者のニーズに対応して、ソフトウェアによって機能を選択的に拡張可能に構成されている。このため、医療従事者のニーズに応じてハードウェアである情報端末２００を新たに開発する必要が無く、開発費用を低く抑えることができる。また、医療従事者が新たな端末を購入する必要がないため、医療従事者の費用負担も軽減することができる。
【００４０】
＜監視システム１０の処理の手順＞
次に、監視システム１０全体で行われる処理について図５〜図１１を参照して説明する。図５は、監視システムの処理の手順を示すシーケンスチャートである。図６〜図１１は、情報端末２００の端末表示部２４０に示す表示画面の一例を示す図である。
【００４１】
本実施形態における監視システム１０の処理は、医療用ポンプ１００に対応が必要な場合に、担当する医療従事者が確実かつ効率的に対応できるように制御するものである。なお、図５のシーケンスチャートに示される医療用ポンプ１００の処理は、医療用ポンプ１００のポンプ記憶部１６０に監視プログラムとして記憶されており、ポンプＣＰＵ（ポンプ判断部）１３０が各部を制御することにより実行される。同様に、情報端末２００の処理は、情報端末２００の端末記憶部２２０に監視プログラムとして記憶されており、端末ＣＰＵ２１０が各部を制御することにより実行される。
【００４２】
［医療用ポンプ１００側の処理］
（ステップＳ１０１）
まず、医療用ポンプ１００のポンプ検出部１２０は、医療用ポンプ１００の状態を検出する。
【００４３】
（ステップＳ１０２）
次に、医療用ポンプ１００のポンプ判断部１３０は、ポンプ検出部１２０の検出データに基づいて、医療用ポンプ１００に対して医療従事者による対応が必要か否かを判断する。ポンプ判断部１３０が医療用ポンプ１００に対して医療従事者による対応が必要でないと判断した場合、ステップＳ１０１の処理に戻る（ＮＯ）。ポンプ判断部１３０が医療用ポンプ１００に対して医療従事者による対応が必要であると判断した場合、ステップＳ１０３の処理に進む（ＹＥＳ）。
【００４４】
（ステップＳ１０３）
医療用ポンプ１００のポンプ特定部１４０は、ポンプ判断部１３０が特定の医療用ポンプ１００に対して医療従事者による対応が必要と判断した場合に、複数の情報端末２００から当該特定の医療用ポンプ１００を担当する医療従事者Ａが携帯する情報端末２００を特定する。医療用ポンプ１００を担当する医療従事者Ａが携帯する情報端末２００の情報は、予めポンプ操作受付部１７０を介して入力され、ポンプ記憶部１６０に記憶されている。ポンプ特定部１４０は、ポンプ記憶部１６０に記憶された情報を基に、担当する医療従事者Ａが携帯する情報端末２００を特定する。
【００４５】
（ステップＳ１０４）
医療用ポンプ１００のポンプ通信部１５０は、ポンプ特定部１４０が特定した医療従事者Ａが携帯する情報端末２００へ警告信号および医療用ポンプ１００に関する情報を送信する。
【００４６】
［情報端末２００側の処理］
（ステップＳ１０５）
情報端末２００の端末報知部２６０は、医療用ポンプ１００から端末通信部２３０が受信した警告信号を報知する。
【００４７】
（ステップＳ１０６）
端末表示部２４０は、ポンプ通信部１５０から受信した医療用ポンプ１００に関する情報を表示する。図６〜図８は、ステップＳ１０６の処理において、情報端末２００の端末表示部２４０に表示される表示画面の一例を示す図である。
【００４８】
図６に示す例では、端末表示部２４０は、医療用ポンプ１００の識別情報を識別番号Ｄ１で表示し、医療用ポンプ１００の状態をアイコンＤ２で表示する。識別番号Ｄ１を表示することによって、医療従事者Ａは、自身が担当する複数の医療用ポンプ１００の中から識別番号Ｄ１が特定する医療用ポンプ１００を認識することができる。また、医療用ポンプ１００の状態をアイコンＤ２で表示することによって、医療従事者Ａは、文字で表示する場合に比べて、情報を視覚的にとらえることができるため医療用ポンプ１００の状態を迅速に認識することができる。なお、医療用ポンプ１００のポンプ表示部１８０にも同じアイコンＤ２を表示してもよい。端末表示部２４０が医療用ポンプ１００の識別情報および医療用ポンプ１００の状態を表示することによって、医療従事者Ａは、医療用ポンプ１００から離れた場所にいても対応が必要な医療用ポンプ１００を認識し、医療用ポンプ１００の状態を知ることができる。
【００４９】
図７に示す例では、端末表示部２４０は、医療用ポンプ１００の識別番号Ｄ１および患者名Ｄ３を表示する。ポンプ判断部１３０が医療従事者による対応が必要と判断した場合でも、ポンプ検出部１２０がどのような異常が生じたか等の医療用ポンプ１００の状態を直ぐに検出できない場合がある。このような場合に、医療従事者Ａは、対応が必要な医療用ポンプ１００を使用する患者名Ｄ３を知ることによって、対応の緊急度を判断することができる。
【００５０】
図８に示す例では、端末表示部２４０は、図７と同様に医療用ポンプ１００の識別番号Ｄ１および患者名Ｄ３を表示する。端末表示部２４０は、医療用ポンプ１００の識別番号Ｄ１を図６や図７に示す通常表示とは異なる色で表示することによって緊急度を表示する。これにより、例えば、識別番号Ｄ１の医療用ポンプ１００を使用する患者が重症患者である場合に、緊急度が高いことを示すことができる。医療従事者は、ポンプ操作受付部１７０を介して患者が重症患者である等の患者の情報を予め入力し、ポンプ記憶部１６０に記憶させておくことができる。医療従事者は、緊急度の表示に基づいて、対応の優先順位を判断することができる。なお、緊急度の表示方法は、色を変える方法に限定されず、例えば、端末報知部２６０から発生させる音、光、振動等を緊急度に応じて変えることで表示してもよい。
【００５１】
（ステップＳ１０７）
図５を参照して、端末操作受付部２５０は、医療従事者Ａが医療用ポンプ１００の処置に対応可能か否かの入力を医療従事者Ａから受け付ける。
【００５２】
図９は、ステップＳ１０７の処理において、情報端末２００の端末表示部２４０に表示される表示画面の一例を示す図である。図９に示す例では、端末表示部２４０は、医療用ポンプ１００の識別番号Ｄ１とともに、対応状況Ｄ４として「未対応」の表示、および対応可否の選択肢Ｄ５を表示する。対応状況Ｄ４は、ステップＳ１０６の処理における表示から所定の時間間隔で間欠的に表示してもよい。この場合、医療従事者Ａは、端末操作受付部２５０を介して、対応状況Ｄ４を表示させる時間間隔を予め設定しておくことができる。設定内容は、端末記憶部２２０へ記憶される。
【００５３】
（ステップＳ１０８）
図５を参照して、医療従事者Ａが対応可能を選択した場合、医療従事者Ａが対応した後に、ステップＳ１１１の処理に進む（ＹＥＳ）。医療従事者Ａが対応不可を選択した場合、ステップＳ１０９の処理に進む（ＮＯ）。
【００５４】
なお、所定時間（例えば、１０分）経過しても医療従事者Ａから入力がない場合や対応状況Ｄ４を所定回数（例えば、５回）表示したにもかかわらず医療従事者Ａから入力がない場合は、医療従事者Ａが対応不可を選択したとし、ステップＳ１０９の処理に進めてもよい（ＮＯ）。
【００５５】
（ステップＳ１０９）
医療従事者Ａが携帯する情報端末２００の端末通信部２３０は、他の情報端末２００へ対応をお願いするヘルプ情報を通知する。端末通信部２３０は、対応が必要な医療用ポンプ１００の付近を担当する医療従事者が携帯する情報端末２００から複数を選択してヘルプ情報を通知してもよいし、医療施設内の全ての情報端末２００にヘルプ情報を通知してもよい。ヘルプ情報を通知することによって、医療従事者Ａは、自分が対応できないことを他の医療従事者へ知らせることができる。なお、ヘルプ情報の通知の処理は、医療用ポンプ１００のポンプ通信部１５０を介して実行してもよい。
【００５６】
（ステップＳ１１０）
医療従事者Ａとは異なる医療従事者Ｂが携帯する情報端末２００の端末表示部２４０は、医療従事者Ａが対応不可を選択した医療用ポンプ１００の情報およびヘルプ情報を表示する。図１０は、ステップＳ１１０の処理において、情報端末２００の端末表示部に表示される表示画面の一例を示す図である。図１０に示す例では、端末表示部２４０は、医療用ポンプ１００の識別番号Ｄ１および対応可否の選択肢Ｄ５とともに、ヘルプ情報Ｄ６を表示する。これにより、医療従事者Ｂは、識別番号Ｄ１の医療用ポンプ１００の担当者が対応できないため対応が必要であることを認識することができる。また、医療従事者Ｂは、端末操作受付部２５０を介して、対応可否の選択肢Ｄ５からステップＳ１０７と同様に対応の可否を選択することができる。
【００５７】
（ステップＳ１１１）
図５を参照して、医療従事者Ａが対応可能を選択した場合、端末操作受付部２５０は、医療従事者Ａから対応が完了した旨の入力を受け付ける。これにより、医療用ポンプ１００の対応状況Ｄ４が未対応から対応完了へ変更される。対応状況Ｄ４の変更は、情報端末２００から行ってもよいし、対応完了を医療用ポンプ１００へ通知して医療用ポンプ１００から行ってもよい。
【００５８】
図１１は、ステップＳ１１１の処理において、情報端末２００の端末表示部２４０に表示される表示画面の一例を示す図である。図１１に示す例では、端末表示部２４０は、医療用ポンプ１００の識別番号Ｄ１とともに、対応状況Ｄ４として「対応完了」と表示する。
【００５９】
以上、図５を参照して監視システム１０の処理の手順について説明したが、上述した実施形態における処理は、図５に示されるシーケンスチャートのステップ以外のステップを含んでもよく、あるいは、上記のステップのうちの一部を含まなくてもよい。
【００６０】
例えば、医療従事者は、医療用ポンプ１００から警告信号を受けていない場合でも、情報端末２００を介して、自身が担当する医療用ポンプ１００の状態を確認することができる。図１２Ａおよび図１２Ｂは、医療従事者が医療用ポンプ１００の状態を確認する際に、情報端末２００の端末表示部２４０に表示される表示画面の一例を示す図である。例えば、図１２Ａに示すように、端末表示部２４０は、医療従事者が担当する複数の医療用ポンプ１００の識別番号のリストＤ７を表示する。複数の医療用ポンプ１００の識別番号のリストＤ７から医療従事者が確認したい医療用ポンプ１００の識別番号を選択すると、端末表示部２４０には、図１２Ｂのように医療用ポンプ１００の状態の詳細情報Ｄ８が表示される。医療用ポンプ１００の状態の詳細情報Ｄ８としては、例えば、投与予定量、投与済量（積算量）、投与にかかる予定時間、投与にかかる残り時間等が挙げられる。これにより、医療従事者は、いつ薬液投与が終了するのか等を端末表示部２４０から知ることができるため、業務計画や次のアクション、今後の予定をその時の医療用ポンプ１００の状態に応じて決めることができる。
【００６１】
（作用効果）
以上説明したように本実施形態に係る監視システム１０は、患者に薬液を送液する複数の医療用ポンプ１００と、医療従事者が携帯可能な複数の情報端末２００と、を有する。医療用ポンプ１００は、医療用ポンプ１００の状態を検出するポンプ検出部１２０と、医療用ポンプ１００の識別情報を記憶するポンプ記憶部１６０と、ポンプ記憶部１６０に記憶された医療用ポンプ１００の識別情報およびポンプ検出部１２０が検出した医療用ポンプ１００の状態を無線通信を介して送信するポンプ通信部１５０と、を有する。情報端末２００は、医療用ポンプ１００と無線通信を介して通信する端末通信部２３０と、端末通信部２３０を介して医療用ポンプ１００から受信した、医療用ポンプ１００の識別情報および医療用ポンプ１００の状態を表示する端末表示部２４０を有する。
【００６２】
本実施形態に係る情報端末２００は、患者に薬液を送液する複数の医療用ポンプ１００と無線通信を介して接続された情報端末２００である。医療用ポンプ１００と無線通信を介して通信する端末通信部２３０と、端末通信部２３０を介して医療用ポンプ１００から受信した、医療用ポンプ１００の識別情報および医療用ポンプ１００の状態を表示する表示部を有する。
【００６３】
本実施形態に係る監視プログラムは、患者に薬液を送液する複数の医療用ポンプ１００と無線通信を介して接続された情報端末２００によって実行される監視プログラムである。該監視プログラムは、医療用ポンプ１００から医療用ポンプ１００の識別情報および医療用ポンプ１００の状態を受信するステップと、医療用ポンプ１００の識別情報および医療用ポンプ１００の状態を表示するステップと、を情報端末２００に実行させる。
【００６４】
上記のような監視システム１０、情報端末２００および監視プログラムによれば、サーバーや人手を介さずに、医療用ポンプ１００と情報端末２００との間で複数の医療用ポンプ１００に関する情報をやり取りすることができる。このため、中央管理システムやナースコールシステム等の高価格なシステムを導入する必要がない。また、中央管理するための専用スタッフを雇う必要がないため、人件費を削減することができる。その結果、医療従事者は、低コストで複数の医療用ポンプ１００の状態を監視できる。
【００６５】
また、医療用ポンプ１００は、ポンプ検出部１２０の検出データに基づいて、医療用ポンプ１００に対して医療従事者による対応が必要か否かを判断するポンプ判断部１３０をさらに有する。これにより、医療用ポンプ１００が医療従事者による対応の要否を判断するため、医療従事者が判断する必要がなくなり、医療従事者の作業負担を軽減することができる。
【００６６】
また、医療用ポンプ１００のポンプ通信部１５０は、ポンプ判断部１３０が医療用ポンプ１００に対して医療従事者による対応が必要であると判断した場合に、警告信号を情報端末２００に送信する。情報端末２００は、医療用ポンプ１００から受信した警告信号を報知する端末報知部２６０をさらに有する。これにより、医療従事者は、医療用ポンプ１００から離れた場所にいても、対応が必要なことを迅速に認識し、対応することができる。また、医療従事者は、対応が必要な場合のみ対応すればよいので、医療従事者の作業負担を軽減することができる。
【００６７】
また、医療用ポンプ１００は、ポンプ判断部１３０が医療用ポンプ１００に対して医療従事者による対応が必要であると判断した場合に、複数の情報端末２００から医療用ポンプ１００を担当する医療従事者が携帯する情報端末２００を特定するポンプ特定部１４０をさらに有する。これにより、医療用ポンプ１００は、対応が必要な医療用ポンプ１００の担当者に迅速に通知することができる。
【００６８】
また、情報端末２００は、医療従事者の腕部に装着可能なブレスレット型である。これにより、医療従事者が情報端末２００を装着しても作業の邪魔になることがない。また、情報端末２００をウェアラブル端末とすることにより、医療従事者が情報端末２００を容易に所持できるようになる。
【００６９】
［変形例１］
図１３は、変形例１に係る監視システムの処理の手順を示すシーケンスチャートである。前述した実施形態では、医療用ポンプ１００が担当者の情報端末２００を特定するポンプ特定部１４０を備えていたが、変形例１では医療用ポンプ１００はポンプ特定部１４０を備えずに、情報端末２００が医療用ポンプ１００の担当か否かを判断する機能を有する。
【００７０】
図１３を参照して、変形例１に係る監視システムの処理の手順について説明する。なお、ステップＳ１０１およびＳ１０２の処理は、前述した実施形態の図５と同様のため説明を省略する。
【００７１】
（ステップＳ２０１）
医療用ポンプ１００のポンプ判断部１３０が医療用ポンプ１００に対して医療従事者による対応が必要と判断した場合に（ステップＳ１０２、ＹＥＳ）、医療用ポンプ１００のポンプ通信部１５０は、複数の情報端末２００へ警告信号および医療用ポンプ１００に関する情報を送信する。
【００７２】
（ステップＳ２０２）
情報端末２００は、医療用ポンプ１００から受信した情報に基づいて、所有者（情報端末２００を携帯する医療従事者）が警告信号に係る医療用ポンプ１００の担当者か否かを判断する。所有者が警告信号に係る医療用ポンプ１００の担当者でない場合は、ステップＳ２０３の処理へ進む（ＮＯ）。情報端末２００は、所有者が警告信号に係る医療用ポンプ１００の担当である場合は、前述した実施形態の図５に示すステップＳ１０５〜Ｓ１１１の処理を実行する（ＹＥＳ）。
【００７３】
（ステップＳ２０３）
所有者が警告信号に係る医療用ポンプ１００の担当者でない場合は、情報端末２００は、医療用ポンプ１００へ担当ではない旨を通知する。
【００７４】
本変形例に示すように、情報端末２００が医療用ポンプ１００の担当か否かを判断する機能を有することにより、医療用ポンプ１００の機能を簡略化することができる。
【００７５】
［変形例２］
図１４は、変形例２に係る監視システムの処理の手順を示すシーケンスチャートである。前述した実施形態では、医療用ポンプ１００が医療用ポンプ１００に対して医療従事者による対応が必要か否かを判断するポンプ判断部１３０およびポンプ特定部１４０を備えていたが、変形例２では情報端末２００が医療用ポンプ１００に対して医療従事者による対応が必要か否かを判断する機能および情報端末２００が医療用ポンプ１００の担当か否かを判断する機能を有する。
【００７６】
図１４を参照して、変形例２に係る監視システムの処理の手順について説明する。ステップＳ１０１の処理は、前述した実施形態の図５と同様のため説明を省略する。
【００７７】
（ステップＳ３０１）
医療用ポンプ１００は、ポンプ検出部１２０の検出データを複数の情報端末２００へ送信する。
【００７８】
（ステップＳ３０２）
情報端末２００は、医療用ポンプ１００から受信した情報に基づいて、所有者（情報端末２００を携帯する医療従事者）が検出データに係る医療用ポンプ１００の担当者か否かを判断する。所有者が検出データに係る医療用ポンプ１００の担当者でない場合は、ステップＳ３０３の処理へ進む（ＮＯ）。情報端末２００は、所有者が検出データに係る医療用ポンプ１００の担当である場合は、ステップＳ３０４の処理へ進む（ＹＥＳ）。
【００７９】
（ステップＳ３０３）
所有者が検出データに係る医療用ポンプ１００の担当者でない場合は、情報端末２００は、医療用ポンプ１００へ担当ではない旨を通知する。
【００８０】
（ステップＳ３０４）
所有者が検出データに係る医療用ポンプ１００の担当である場合は、情報端末２００は、ポンプ検出部１２０の検出データに基づいて、医療用ポンプ１００に対して医療従事者による対応が必要か否かを判断する。情報端末２００が医療用ポンプ１００に対して医療従事者による対応が必要でないと判断した場合、ステップＳ１０１の処理に戻る（ＮＯ）。ポンプ判断部１３０が医療用ポンプ１００に対して医療従事者による対応が必要であると判断した場合、前述した実施形態の図５に示すステップＳ１０５〜Ｓ１１１の処理を実行する（ＹＥＳ）。
【００８１】
本変形例に示すように、情報端末２００が医療用ポンプ１００に対して医療従事者による対応が必要か否かを判断する機能および担当者の医療用ポンプ１００を特定する機能を有することにより、医療用ポンプ１００の機能を簡略化することができる。
【００８２】
以上、実施形態および変形例を通じて監視システム、情報端末および監視プログラムを説明したが、本発明は実施形態および変形例において説明した構成に限定されることはなく、特許請求の範囲の記載に基づいて適宜変更することが可能である。
【００８３】
例えば、医療用ポンプの構成は、上述した実施形態や変形例に限定されず、種々変更することができる。例えば、医療用ポンプは、ＲＦＩＤタグを搭載してもよい。ＲＦＩＤタグは、医療用ポンプの識別情報を記憶し、記憶された識別情報を情報端末へ発信する。ＲＦＩＤタグは、リーダからの電波をエネルギー源として動作して情報を発信するパッシブ型、自らの電力で情報を発信するアクティブ型のいずれの形態でもよいが、アクティブ型であることが好ましい。ＲＦＩＤタグがアクティブ型の場合、ＲＦＩＤタグはポンプ通信部を介さずに情報端末に直接的に医療用ポンプの識別情報を発信することができる。
【００８４】
また、情報端末の構成は、上述した実施形態や変形例に限定されず、種々変更することができる。例えば、情報端末は、ブレスレット型に限定されず、眼鏡型、指輪型、ペンダント型などのウェアラブル端末でもよい。
【００８５】
また、上述した実施形態や変形例における処理は、図５、図１３、図１４に示されるシーケンスチャートのステップ以外のステップを含んでもよく、あるいは、上記のステップのうちの一部を含まなくてもよい。また、ステップの順序は、上記の実施形態や変形例に限定されない。さらに、各ステップは、他のステップと組み合わされて一つのステップとして実行されてもよく、他のステップに含まれて実行されてもよく、複数のステップに分割されて実行されてもよい。
【００８６】
また、監視プログラムは、例えば、ＵＳＢメモリやＤＶＤ−ＲＯＭ等の医療用ポンプや情報端末が読み取り可能な記録媒体によって提供されてもよいし、インターネット等のネットワークを介してオンラインで提供されてもよい。この場合、医療用ポンプや情報端末が読み取り可能な記録媒体に記録された監視プログラムは、医療用ポンプのポンプ記憶部や情報端末の端末記憶部に転送され記憶される。また、上記監視プログラムは、単独のアプリケーションソフトとして提供されてもよいし、一機能として医療用ポンプや情報端末のソフトウェアに組み込まれてもよい。
【符号の説明】
【００８７】
１０    監視システム、
１００    医療用ポンプ、
１１０    ポンプ駆動部、
１２０    ポンプ検出部、
１３０    ポンプＣＰＵ（ポンプ判断部）、
１４０    ポンプ特定部、
１５０    ポンプ通信部、
１６０    ポンプ記憶部、
１７０    ポンプ操作受付部、
１８０    ポンプ表示部、
１９０    ポンプ報知部、
２００    情報端末、
２１０    端末ＣＰＵ、
２２０    端末記憶部、
２３０    端末通信部、
２４０    端末表示部、
２５０    端末操作受付部、
２６０    端末報知部、
３００    医療用ポンプ。
【図１】
2020086964.tif 000003
【図２】
2020086964.tif 000004
【図３】
2020086964.tif 000005
【図４】
2020086964.tif 000006
【図５】
2020086964.tif 000007
【図６】
2020086964.tif 000008
【図７】
2020086964.tif 000009
【図８】
2020086964.tif 000010
【図９】
2020086964.tif 000011
【図１０】
2020086964.tif 000012
【図１１】
2020086964.tif 000013
【図１２Ａ】
2020086964.tif 000014
【図１２Ｂ】
2020086964.tif 000015
【図１３】
2020086964.tif 000016
【図１４】
2020086964.tif 000017